【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
タッチパネルと、
当該タッチパネル上のタッチ位置を連続して検出するタッチ検出手段と、
当該タッチ検出手段により検出された位置情報が供給されると、当該位置情報に基づいて発生すべき楽音を制御する楽音制御手段と、
前記タッチ検出手段により最初に検出されるタッチ位置情報と、その後検出される前記タッチ位置情報との差が所定値以上になるまで前記位置情報を前記楽音制御手段ヘ供給するのを禁止する禁止手段と、
を有することを特徴とする楽音制御装置。
【請求項２】
タッチパネルと、
当該タッチパネル上のタッチ位置を連続して検出するタッチ検出手段と、
当該タッチ検出手段により検出された位置情報が供給されると、当該位置情報に基づいて発生すべき楽音を制御する楽音制御手段と、
前記タッチ検出手段により最初にタッチ位置を検出してから一定時間前記タッチ位置情報を前記楽音制御手段へ供給するのを禁止する第１の禁止手段と、
前記タッチ検出手段により最初に検出されるタッチ位置情報と、その後検出される前記タッチ位置情報との差が所定値以上になるまで前記位置情報を前記楽音制御手段ヘ供給するのを禁止する第２の禁止手段と、
前記第１及び第２の禁止手段の何れか一方が、前記位置情報を前記楽音制御手段へ供給するのを禁止している状態を解除したときに、前記タッチ検出手段からのタッチ位置情報を前記楽音制御手段に供給することを再開する再開手段と、
を有することを特徴とする楽音制御装置。
【請求項３】
前記タッチ検出手段により最初に検出されたタッチ位置情報を、その後に検出されるタッチ位置情報に基づいて制御される楽音パラメータとは異なるパラメータを制御するのに用いることを特徴とする請求項１乃至２いずれかに記載の楽音制御装置。
【請求項４】
前記タッチ検出手段により最初に検出されたタッチ位置情報に基づいて制御される楽音パラメータと、前記タッチ検出手段からのタッチ位置情報を前記楽音制御手段へ供給再開した際に最初に検出されたタッチ位置情報に基づいて制御される楽音パラメータと、前記供給再開後に検出されたタッチ位置情報に基づいて制御される楽音パラメータとをそれぞれ異なるパラメータとすることを特徴とする請求項１乃至２いずれかに記載の楽音制御装置。
【請求項５】
前記タッチ検出手段により最初に検出されたタッチ位置に基づいて、その後に検出されるタッチ位置の変化に基づく楽音制御の度合いを変更することを特徴とする請求項１乃至４いずれかに記載の楽音制御装置。
【請求項６】
タッチパネルと、
当該タッチパネル上のタッチ位置を連続して検出するタッチ検出手段と、
当該タッチ検出手段により検出された位置情報が供給されると、当該位置情報に基づいて発生すべき楽音を制御する楽音制御手段と、
前記タッチ検出手段で最初に検出されたタッチ位置情報に基づいて制御される楽音パラメータと、その後に検出されるタッチ位置情報に基づいて制御される楽音パラメータを異なるパラメータとするパラメータ切り換え手段と、
を有することを特徴とする楽音制御装置。
【請求項７】
タッチパネルと、
当該タッチパネル上のタッチ位置を連続して検出するタッチ検出手段と、
当該タッチ検出手段により検出された位置情報が供給されると、当該位置情報に基づいて発生すべき楽音を制御する楽音制御手段と、
前記タッチ検出手段により最初に検出されたタッチ位置に基づいて、その後に検出されるタッチ位置の変化に基づく前記楽音制御の度合いを変更する変換手段と、
を有することを特徴とする楽音制御装置。
【請求項８】
タッチパネル上のタッチ位置を連続して検出するタッチ検出機能と、
当該タッチ検出機能により検出された位置情報が供給されると、当該位置情報に基づいて発生すべき楽音を制御する楽音制御機能と、
前記タッチ検出機能により最初に検出されるタッチ位置情報と、その後検出される前記タッチ位置情報との差が所定値以上になるまで前記位置情報を前記楽音制御機能ヘ供給するのを禁止する禁止機能とをコンピュータに実現させることを特徴とする楽音制御処理プログラム。
【請求項９】
タッチパネル上のタッチ位置を連続して検出するタッチ検出機能と、
当該タッチ検出機能により検出された位置情報が供給されると、当該位置情報に基づいて発生すべき楽音を制御する楽音制御機能と、
前記タッチ検出機能により最初にタッチ位置を検出してから一定時間前記位置情報を前記楽音制御機能へ供給するのを禁止する第１の禁止機能と、
前記タッチ検出機能により最初に検出されるタッチ位置情報と、その後検出される前記タッチ位置情報との差が所定値以上になるまで前記位置情報を前記楽音制御機能ヘ供給するのを禁止する第２の禁止機能と、
前記第１及び第２の禁止機能の何れか一方が、前記位置情報を前記楽音制御機能へ供給するのを禁止している状態を解除したときに、前記タッチ検出機能からのタッチ位置情報を前記楽音制御機能に供給することを再開する再開機能とをコンピュータに実現させることを特徴とする楽音制御処理プログラム。
【請求項１０】
タッチパネル上のタッチ位置を連続して検出するタッチ検出機能と、
当該タッチ検出機能により検出された位置情報が供給されると、当該位置情報に基づいて発生すべき楽音を制御する楽音制御機能と、
前記タッチ検出機能により最初に検出されたタッチ位置情報に基づいて制御される楽音パラメータと、その後に検出されるタッチ位置情報に基づいて制御される楽音パラメータを異なるパラメータとするパラメータ切り換え機能とをコンピュータに実現させることを特徴とする楽音制御処理プログラム。
【請求項１１】
タッチパネル上のタッチ位置を連続して検出するタッチ検出機能と、
当該タッチ検出機能により検出された位置情報が供給されると、当該位置情報に基づいて発生すべき楽音を制御する楽音制御機能と、
前記タッチ検出機能により最初に検出されたタッチ位置に基づいて、その後に検出されるタッチ位置の変化に基づく前記楽音制御の度合いを変更する変換機能とをコンピュータに実現させることを特徴とする楽音制御処理プログラム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項１の発明は、タッチパネルと、当該タッチパネル上のタッチ位置を連続して検出するタッチ検出手段と、当該タッチ検出手段により検出された位置情報が供給されると、当該位置情報に基づいて発生すべき楽音を制御する楽音制御手段と、前記タッチ検出手段により最初に検出されるタッチ位置情報と、その後検出される前記タッチ位置情報との差が所定値以上になるまで前記位置情報を前記楽音制御手段ヘ供給するのを禁止する禁止手段とを有することを特徴とする。
【手続補正５】
【補正対象書類名】明細書
【補正対象項目名】００１５
【補正方法】変更
【補正の内容】
【００１５】
請求項２の発明は、タッチパネルと、当該タッチパネル上のタッチ位置を連続して検出するタッチ検出手段と、当該タッチ検出手段により検出された位置情報が供給されると、当該位置情報に基づいて発生すべき楽音を制御する楽音制御手段と、前記タッチ検出手段により最初にタッチ位置を検出してから一定時間前記タッチ位置情報を前記楽音制御手段へ供給するのを禁止する第１の禁止手段と、前記タッチ検出手段により最初に検出されるタッチ位置情報と、その後検出される前記タッチ位置情報との差が所定値以上になるまで前記位置情報を前記楽音制御手段ヘ供給するのを禁止する第２の禁止手段と、前記第１及び第２の禁止手段の何れか一方が、前記位置情報を前記楽音制御手段へ供給するのを禁止している状態を解除したときに、前記タッチ検出手段からのタッチ位置情報を前記楽音制御手段に供給することを再開する再開手段とを有することを特徴とする。
【手続補正６】
【補正対象書類名】明細書
【補正対象項目名】００１７
【補正方法】変更
【補正の内容】
【００１７】
請求項３の発明は、前記請求項１乃至２いずれかにおいて、前記タッチ検出手段により最初に検出されたタッチ位置情報を、その後に検出されるタッチ位置情報に基づいて制御される楽音パラメータとは異なるパラメータを制御するのに用いることを特徴とする。
【手続補正７】
【補正対象書類名】明細書
【補正対象項目名】００１９
【補正方法】変更
【補正の内容】
【００１９】
請求項４の発明は、前記請求項１乃至２いずれかにおいて、前記タッチ検出手段により最初に検出されたタッチ位置情報に基づいて制御される楽音パラメータと、前記タッチ検出手段からのタッチ位置情報を前記楽音制御手段へ供給再開した際に最初に検出されたタッチ位置情報に基づいて制御される楽音パラメータと、前記供給再開後に検出されたタッチ位置情報に基づいて制御される楽音パラメータとをそれぞれ異なるパラメータとすることを特徴とする。
【手続補正８】
【補正対象書類名】明細書
【補正対象項目名】００２１
【補正方法】変更
【補正の内容】
【００２１】
請求項５の発明は、前記請求項１乃至４いずれかにおいて、前記タッチ検出手段により最初に検出されたタッチ位置に基づいて、その後に検出されるタッチ位置の変化に基づく楽音制御の度合いを変更することを特徴とする。
【手続補正９】
【補正対象書類名】明細書
【補正対象項目名】００２３
【補正方法】変更
【補正の内容】
【００２３】
請求項６の発明は、タッチパネルと、当該タッチパネル上のタッチ位置を連続して検出するタッチ検出手段と、当該タッチ検出手段により検出された位置情報が供給されると、当該位置情報に基づいて発生すべき楽音を制御する楽音制御手段と、前記タッチ検出手段で最初に検出されたタッチ位置情報に基づいて制御される楽音パラメータと、その後に検出されるタッチ位置情報に基づいて制御される楽音パラメータを異なるパラメータとするパラメータ切り換え手段とを有することを特徴とする。
【手続補正１０】
【補正対象書類名】明細書
【補正対象項目名】００２５
【補正方法】変更
【補正の内容】
【００２５】
請求項７の発明は、タッチパネルと、当該タッチパネル上のタッチ位置を連続して検出するタッチ検出手段と、当該タッチ検出手段により検出された位置情報が供給されると、当該位置情報に基づいて発生すべき楽音を制御する楽音制御手段と、前記タッチ検出手段により最初に検出されたタッチ位置に基づいて、その後に検出されるタッチ位置の変化に基づく前記楽音制御の度合いを変更する変換手段とを有することを特徴とする。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】変更
【補正の内容】
【００２８】
請求項８の発明は、タッチパネル上のタッチ位置を連続して検出するタッチ検出機能と、当該タッチ検出機能により検出された位置情報が供給されると、当該位置情報に基づいて発生すべき楽音を制御する楽音制御機能と、前記タッチ検出機能により最初に検出されるタッチ位置情報と、その後検出される前記タッチ位置情報との差が所定値以上になるまで前記位置情報を前記楽音制御機能ヘ供給するのを禁止する禁止機能とをコンピュータに実現させることを特徴とする。
【手続補正１３】
【補正対象書類名】明細書
【補正対象項目名】００２９
【補正方法】変更
【補正の内容】
【００２９】
請求項９の発明は、タッチパネル上のタッチ位置を連続して検出するタッチ検出機能と、当該タッチ検出機能により検出された位置情報が供給されると、当該位置情報に基づいて発生すべき楽音を制御する楽音制御機能と、前記タッチ検出機能により最初にタッチ位置を検出してから一定時間前記位置情報を前記楽音制御機能へ供給するのを禁止する第１の禁止機能と、前記タッチ検出機能により最初に検出されるタッチ位置情報と、その後検出される前記タッチ位置情報との差が所定値以上になるまで前記位置情報を前記楽音制御機能ヘ供給するのを禁止する第２の禁止機能と、前記第１及び第２の禁止機能の何れか一方が、前記位置情報を前記楽音制御機能へ供給するのを禁止している状態を解除したときに、前記タッチ検出機能からのタッチ位置情報を前記楽音制御機能に供給することを再開する再開機能とをコンピュータに実現させることを特徴とする。
【手続補正１４】
【補正対象書類名】明細書
【補正対象項目名】００３０
【補正方法】変更
【補正の内容】
【００３０】
請求項１０の発明は、タッチパネル上のタッチ位置を連続して検出するタッチ検出機能と、当該タッチ検出機能により検出された位置情報が供給されると、当該位置情報に基づいて発生すべき楽音を制御する楽音制御機能と、前記タッチ検出機能により最初に検出されたタッチ位置情報に基づいて制御される楽音パラメータと、その後に検出されるタッチ位置情報に基づいて制御される楽音パラメータを異なるパラメータとするパラメータ切り換え機能とをコンピュータに実現させることを特徴とする。
【手続補正１５】
【補正対象書類名】明細書
【補正対象項目名】００３１
【補正方法】変更
【補正の内容】
【００３１】
請求項１１の発明は、タッチパネル上のタッチ位置を連続して検出するタッチ検出機能と、当該タッチ検出機能により検出された位置情報が供給されると、当該位置情報に基づいて発生すべき楽音を制御する楽音制御機能と、前記タッチ検出機能により最初に検出されたタッチ位置に基づいて、その後に検出されるタッチ位置の変化に基づく前記楽音制御の度合いを変更する変換機能とをコンピュータに実現させることを特徴とする。
【手続補正１６】
【補正対象書類名】明細書
【補正対象項目名】０１１９
【補正方法】変更
【補正の内容】
【０１１９】
【発明の効果】
以上詳細に説明したように、請求項１、請求項８の発明によれば、演奏者が最初にタッチパネルにタッチしてからそのタッチ位置変動が所定値以上になってから検出されるタッチ位置情報に基づいて楽音発生を行うことにより、タッチパネルへの初動操作の不安定さに起因するノイズの発生を抑えて、最初から円滑に楽音を発生することができる。
請求項２、請求項９の発明によれば、演奏者が最初にタッチパネルにタッチしてから一定時間後か、或いはこの一定時間内でも前記タッチ位置の変動が所定値以上になった場合に検出されるタッチ位置情報に基づいて楽音発生を行うことにより、タッチパネルへの初動操作の不安定さに起因するノイズの発生を抑えて、最初から円滑に楽音を発生することができる上に、装置の楽音発生の応答性を向上させることができる。
請求項３、請求項６、請求項１０の発明によれば、演奏者がタッチパネルを最初にタッチして検出されるタッチ位置情報で制御する楽音パラメータと、その後検出されるタッチ位置情報で制御される楽音パラメータを異なるものにすることにより、タッチパネルの一つの軸に複数のパラメータを設定でき且つ、演奏操作に影響を与えるような特別な操作をすることなく、これらパラメータを切り換えて制御することができる。
請求項４の発明によれば、演奏者がタッチパネルを最初にタッチして検出されるタッチ位置情報で制御する楽音パラメータと、前記最初のタッチから所定時間の経過、或いは所定値以上のタッチ位置変動があってから最初に検出されるタッチ位置で制御される楽音パラメータと、その後検出されるタッチ位置情報で制御される楽音パラメータをそれぞれ異なるものにすることにより、タッチパネルの一つの軸により多くのパラメータを設定でき且つ、演奏操作に影響を与えるような特別な操作をすることなくこれらパラメータを切り換えて制御することができる。
請求項５、請求項７、請求項１１の発明によれば、演奏者がタッチパネルを最初にタッチした時に検出されるタッチ位置（起点）に基づいて、その後に検出されるタッチ位置の変化に基づく楽音制御の度合いを変更することにより、２次元平面のタッチパネル上で、前記起点のタッチ位置に拘らず、この起点からいずれの方向にタッチ位置を移動しても各軸に割り当ててあるパラメータの変化範囲を全てカバーできる制御を行うことができる。